(57)【要約】【課題】水切れによる運転停止の時間を少なくする。【解決手段】水槽部に一定量の水を供給する給水用タンクと吸込口と吹出口と両口間を連絡する風路中に配設された送風装置と気化フィルターとにより構成され、水槽部の水により湿潤した気化フィルターを通過し、吹出口から加湿された空気を吹き出すと共に、気化フィルターを回転自在とし、一方の下端部が水槽部の水中に水没した状態と、水面と略水平に保持される状態と、他方の下端部が水中に水没する状態で夫々停止する加湿器に於いて、前記給水用タンクの水が所定量より残り少ないことを検知して報知する給水検知手段を設け、この給水検知手段の作動時には、前記送風装置の設定風量を最小風量に変更して所定時間運転後に停止するものである。【選択図】図６
2008241224.tif 000002
【特許請求の範囲】
【請求項１】
水槽部と、この水槽部に一定量の水を供給する給水用タンクと、室内の乾燥した空気を取入れる吸込口と室内に湿った空気を送る吹出口と、両口間を連絡する風路中に配設され、多段階の送風量で運転可能な送風装置と、この送風装置の出口側に配設されたヒーターと、下端部を水槽部内の水に浸漬され、回転駆動される気化フィルターとにより構成され、送風装置によって吸込口から吸い込まれた室内の乾燥した空気をヒーターを通過させて加熱した後、水槽部の水により湿潤した気化フィルターを通過し、吹出口から加湿された空気を吹き出すと共に、前記気化フィルターを回転自在とし、一方の下端部が水槽部の水中に水没した状態と、水面と略水平に保持される状態と、他方の下端部が水中に水没する状態で夫々停止する加湿器に於いて、前記給水用タンクの水が所定量より残り少ないことを検知して報知する給水検知手段を設け、この給水検知手段の作動時には、前記送風装置の設定風量を最小風量に変更して所定時間運転後に停止することを特徴とする加湿器。
【発明の詳細な説明】
【技術分野】
【０００１】
この発明は気化式の加湿器に関するものである。
【背景技術】
【０００２】
従来よりこの種のものには、水槽部と、この水槽部に一定量の水を供給する給水用水タンクと、送風装置と、この送風装置の出口側に配設されたヒーターと、回転駆動される気化フィルターとにより構成され、送風装置によって吸込口から吸い込まれた室内の乾燥した空気をヒーターを通過させて加熱した後、水槽部の水により湿潤した気化フィルターを通過し、吹出口から吹き出される加湿器において、一方の下端部が水槽部の水中に水没した状態と、水面と略水平に保持される状態と、他方の下端部が水中に水没する状態で夫々停止することにより、気化フィルター全体を水分の気化、すなわち加湿に寄与させることができ、また、吹出口の薄形に対する影響を少なくすることができ、本体をより薄形形状にするものであった。（例えば、特許文献１参照）
【特許文献１】特許第３７７６３７３号公報
【発明の開示】
【発明が解決しようとする課題】
【０００３】
ところが、この種の加湿器は、水が無くなってくると給水の表示とほぼ同時に自動で運転を停止するので、水切れに気づかずに運転停止を継続した場合には室内の湿度が低下する問題があった。
また、加湿水が少なくなってくると、水槽水の水位が低下することで、気化フィルターが水を吸い上げる能力が低下し、吹出空気の湿度も低下するものだった。
【課題を解決するための手段】
【０００４】
この発明はこの点に着目し、上記欠点を解決する為、特にその構成を、水槽部と、この水槽部に一定量の水を供給する給水用タンクと、室内の乾燥した空気を取入れる吸込口と室内に湿った空気を送る吹出口と、両口間を連絡する風路中に配設され、多段階の送風量で運転可能な送風装置と、この送風装置の出口側に配設されたヒーターと、下端部を水槽部内の水に浸漬され、回転駆動される気化フィルターとにより構成され、送風装置によって吸込口から吸い込まれた室内の乾燥した空気をヒーターを通過させて加熱した後、水槽部の水により湿潤した気化フィルターを通過し、吹出口から加湿された空気を吹き出すと共に、前記気化フィルターを回転自在とし、一方の下端部が水槽部の水中に水没した状態と、水面と略水平に保持される状態と、他方の下端部が水中に水没する状態で夫々停止する加湿器に於いて、前記給水用タンクの水が所定量より残り少ないことを検知して報知する給水検知手段を設け、この給水検知手段の作動時には、前記送風装置の設定風量を最小風量に変更して所定時間運転後に停止するようにしたものである。
【発明の効果】
【０００５】
この発明によれば、使用者に加湿が停止する前に渇水を知らせることで給水用タンクへの給水を促すことができ、継続して加湿を続けることで、運転停止による湿度の低下を防止できる。
また、渇水時の送風装置の風量を低下することで加湿水減少速度を低下させ、残った加湿水での運転時間を長びかせることで室内の湿度の急な低下を防止するものである。
また、加湿水が少なくなってくると、水槽水の水位が低下することで、フィルタが水を吸い上げる能力が低下し、吹出空気の湿度も低下することを、送風装置の風量を減少して吹出空気の湿度が低下することを防止するものである。
【発明を実施するための最良の形態】
【０００６】
以下に本発明を実施するために好適な実施例を図１に基づい説明する。
１は横長箱型の加湿器本体、２は本体１内の下部に設けられた水槽で、カートリッジ式の給水用タンク３等によって給水される。
【０００７】
前記給水用タンク３は、本体１の上面から本体１内に挿入され、水槽２上に載置されて該水槽２内に一定量の水を供給する。
４は室内の乾燥した空気を本体1内に取入れる吸込口で、本体１の側面部に開口している。５は室内に湿った空気を送る吹出口で、本体１の上面に開口している。６は前記吸込口４から吹出口５に至る風路中に配設された送風装置で、その吹出口側には風を加熱するヒーター７と、全面に小穴８が明けられた吸水性の良いシート状の素材をプリーツ折りした横長方形の気化フィルター９が配設され、その下端部が水槽部１０内の水に浸漬されている。
【０００８】
前記水槽部１０は水槽２の横に並べて配設され、両者は樹脂により一体に成形されており、ともに底部で連なって同一レベルの水を貯水する。そして、この水槽２と水槽部１０は本体１の背面に設けた開口部１１を通して本体１の外に取り出し可能となっている。
そして、送風装置６によって吸込口４から吸い込まれた室内の乾燥した空気はヒーター７を通過後、水槽部１０の水により湿潤した気化フィルター９部を通過し、吹出口５から室内へ湿った空気を放出する。
【０００９】
１２は枠体よりなるフィルターケースで、水槽部１０内でこの水槽部１０と一体に成形され、気化フィルター９の周囲を覆って気化フィルター９を収納しており、両側面の略中間で、かつ後部側に回転用の支点１３が設けられている。１４はこの支点１３を受ける支点受け部で、水槽部１０の両側面の後部側に、この両側面の上面に開口するように設けられ、気化フィルター９をその開口部を通して取り外せるようになっている。
【００１０】
１５はフィルターケース１２の一方の側面に設けられた湾曲したリブで、一つの支点１３と連なっている。
また、このリブ１５は、給水用タンク３の仕切り壁に取付けたギヤモーター１６と連動するクランク１７と係合しており、気化フィルター９を一定の角度まで回転させて気化フィルター９の下部を水槽部１０の水面から出るようにし、この時点で切替えスイッチ２５によりその回転を停止し、この状態で、気化フィルター９にヒーター７による温風を吹き付け、該気化フィルター９を乾燥するようにしている。
【００１１】
前記吸込口４は室内の乾燥した空気を本体1内に取入れるもので、送風装置６のモータ１８及び羽根１９と対向した本体１の前面と背面に設けられている。
前記気化フィルター９は全面に小穴８が明けられた吸水性の良いシート状の素材をプリーツ折りしたもので、全体が縦長方形に形成されており、その下端部が水槽部１０内の水に浸漬されている。
【００１２】
前記フィルターケース１２は気化フィルター９の周囲を覆ってこの気化フィルター９を収納しており、本体１の前面側と背面側の両面の略中間に回転用の支点１３と回転用の歯車２０が設けられており、さらに歯車２０にはカム２１が設けられている。
前記支点受け部１４は水槽部１０の一側側面に設けられている。前記ギヤモーター１６は歯車２０と対向した本体１の背面内側に設けられ、その軸がジョイント２２を介して歯車２０に嵌合している。２３はこのギヤモーター１６を制御するタイマーである。
【００１３】
２４は一端が枢支された駆動軸で、先端下面をカム２１に対面させ、上面略中央部をギヤモーター１６の切替えスイッチ２５に対面させており、気化フィルター９が回転したとき、この気化フィルター９を指定の位置で停止するようにしている。すなわち、気化フィルター９が回転してその下端が水槽部１０の水面に水没するように斜めに停止すると、切替えスイッチ２５を開いて定期的に停止し、約１８０度回転するようにしている。
【００１４】
また、前記気化フィルター９が回転して指定の位置で停止してから水面と略平行にし、気化フィルター９を水面から上げ、送風装置６により乾燥運転をするようにしている。
２６は水槽２又は水槽部１０に備えた給水検知手段で、フロートスイッチ等により水槽２内の水位を検知するものである。
２７は給水ランプ２８や運転ランプ２９を備えた表示部で、複数のランプ等により運転状態を表示するものである。
３０は運転スイッチ３１や湿度等の設定を行うスイッチ類（図示せず）を備えた操作部である。
３２は前記送風装置６やヒーター７、操作部３０、表示部２７、給水検知手段２６等に接続され加湿器全体の制御を行うマイコン等の制御部である。
３３は停止タイマで、前記給水検知手段２６によって渇水が検知された後の時間を計時するもので所定時間（この実施例では３０分間）の間に給水用タンク３によって給水が行われなかった場合に加湿器の運転を停止するものである。
【００１５】
次に、前記動作について説明する。
加湿器を運転する際に、給水用水タンク３に水を入れ、水槽２に設置することにより水槽２には給水タンク３より一定水量の水が流れ出し、気化フィルター９の下端部を満たす。従って、気化フィルター９は水を吸上げ湿潤する。
【００１６】
このような状態で送風装置６を駆動することにより、吸込口４から得られた室内の乾燥した空気は、風路に設けたヒーター７により風が加熱される。そして、加熱された温風は図５（ａ）に示すように、一端を水槽部１０の水に水没させることで湿潤した気化フィルター９を通過し、気化フィルター９内の水を気化させるとともに吹出口５へ送られ、この吹出口５から室内に放出される。このとき、気化フィルター９を図示するように幾分斜めになるように停止させると、水槽部１０内の水に浸漬している部分が少なく風路中に露出している部分が多くなり、この多く露出している部分に送風装置６からの風が多く当たり、加湿量が多くなる。
【００１７】
また、この気化フィルター９の下端が水中に水没して斜めに停止すると同時にタイマー２３により所定の時間をカウントし、その間、吸上げ性の良い気化フィルター９は加湿すると同時に水を吸上げ、気化フィルター９を湿潤させる。
【００１８】
次ぎに、気化フィルター９は図５（ａ）から図５（ｃ）に示すように略１８０度回転してタイマー２３により所定の時間をカウントする。その間、気化フィルター９は今まで水没していなかった他方の下端が水中に水没する状態で停止し、気化フィルター９内の水を気化させるとともに吹出口５へ吸込まれ、該吹出口５から室内に放出される。このときにも気化フィルター９を斜めに停止させて加湿量を多くする。以後、この動作を繰り返して加湿を継続する。この時、気化フィルター９は正回転でも逆回転でも良い。
【００１９】
加湿終了後は、気化フィルター９を図５（ｃ）の状態から矢印のように略９０度回転して図５（ｂ）に示すように、その全体を水槽部１０の水面と略水平状態になるように水面上で保持し、同時にタイマー２３により所定の時間をカウントし、その間、風路に設けたヒーター７によって加熱された風により乾燥する。加湿停止後、気化フィルター９を含めて水槽２、水槽部１０を本体１から取り出して清掃等する場合には本体１の開口部１１から図２の矢印のように取り出せばよい。
【００２０】
なお、前記加湿に際し、気化フィルター９の吸上げ性能から、タイマー２３で決定した時間、例えば３分で９０ｍｍ吸上げるフィルター素材であれば、５分に一回約１８０度回転させることで、水槽２から湿潤した９０ｍｍ部分が前記約１８０度回転することで上方に半回転し、５分間に加湿し乾燥した上方部のフィルター部は半回転して水槽２の中に水没し、水を吸上げる。
【００２１】
次に、図６のフローチャートを基に加湿器の渇水時の動作について説明する。
加湿運転を続け（Ｓ１）、徐々に給水用タンク３内の水が減り空になると、水槽２の水位も減少を始める。そして、ステップ２にて給水検知手段２６（フロートスイッチ）にて所定の水位を検知すると、ステップ３に進んで給水ランプ２８が点滅を始めて渇水状態であることを報知すると共に、送風装置６の風量を最低風量の弱モードに切替え、ヒーター７を停止し、停止タイマ３３をスタートする。
【００２２】
ステップ４では使用者が給水ランプ２８点滅に気づいて空の給水用タンク３に給水を行えば、ステップ１に進み、通常の運転に戻る。給水が行われない場合には、ステップ５に進み、停止タイマ３３が３０分の所定時間経過するまで運転を継続し、３０分の経過でステップ６へ進んで給水ランプ２８を点滅から点灯に変更すると共に、送風装置６を停止し、加湿器の運転を停止する。
【００２３】
このように、使用者に加湿が停止する前に渇水を知らせることで給水用タンク３への給水を促すことができ、継続して加湿を続けることで、運転停止による湿度の低下を防止できる。
また、渇水時の送風装置６の風量を低下し、ヒーター７を停止することで加湿水の減少速度を低下させ、残った加湿水を有効に利用するものである。
また、加湿水が少なくなってくると、水槽水の水位が低下することで、気化フィルター９が水を吸い上げる能力が低下し、吹出空気の湿度も低下することを、送風装置６の風量を低下して吹出空気の湿度が低下することを防止するものである。
また、渇水前を給水ランプ２８の点滅で報知し給水を促し加湿の継続が行えるものであり、また渇水時には同じ給水ランプ２８が点灯に変わり渇水を表示するものであり、１つの給水ランプ２８を利用し、その表示形態を変化させて渇水前と渇水時を表示でき極めて使用勝手が良く便利なものである。
【図面の簡単な説明】
【００２４】
【図１】この発明の一実施例を示す概略正面図である。
【図２】同概略側面断面図である。
【図３】同気化フィルターの回転伝達部分の要部構造断面図である。
【図４】同回転伝達部分の要部正面図である。
【図５】同気化フィルターの動作説明図である。
【図６】同フローチャート図。
【図７】同概略制御図。
【符号の説明】
【００２５】
１  本体
３  給水用タンク
６  送風装置
９  気化フィルター
１０  水槽部
２６  給水検知手段
２８  給水ランプ
３２  制御部
【図１】
2008241224.tif 000003
【図２】
2008241224.tif 000004
【図３】
2008241224.tif 000005
【図４】
2008241224.tif 000006
【図５】
2008241224.tif 000007
【図６】
2008241224.tif 000008
【図７】
2008241224.tif 000009